(57)【要約】【課題】  燃料電池スタックのセル積層方向の水分量分布を平坦化でき、安定した発電を可能にする燃料電池スタックの運転方法とその装置の提供。【解決手段】  （１）燃料電池スタックのセル積層方向での水分量分布の偏りが検知された場合に、セル積層方向の燃料電池スタックの総極性を反転させる燃料電池スタックの運転方法。（２）燃料電池スタックの総極性の反転を、燃料電池スタックのセル積層方向の端部のうち水分が多い側の端部が総プラスになるように反転させる。（３）燃料電池スタックの総極性の反転を、アノードガスとカソードガスを入替えることにより行う。（４）入替え前にアノードガスの流路とカソードガスの流路をパージする。（５）イオン交換体を介して対向するガス流路の形状を同じにした。（６）燃料電池スタックの総極性の反転を外部電源または回生電圧の印加により行う。（７）燃料電池スタックの総極性の反転処理を、非発電状態の下で行う。【選択図】      図１
2007200675.tif 000002
【特許請求の範囲】
【請求項１】
燃料電池スタックのセル積層方向での水分量分布の偏りが検知された場合に、セル積層方向の燃料電池スタックの総極性を反転させる燃料電池スタックの運転方法。
【請求項２】
前記燃料電池スタックの総極性の反転を、燃料電池スタックのセル積層方向の端部のうち水分が多い側の端部が総プラスになるように反転させる請求項１記載の燃料電池スタックの運転方法。
【請求項３】
前記燃料電池スタックの総極性の反転を、アノードガスとカソードガスを入替えることにより行う請求項１または請求項２記載の燃料電池スタックの運転方法。
【請求項４】
前記アノードガスとカソードガスの入替え前にアノードガスの流路とカソードガスの流路をパージする請求項３記載の燃料電池スタックの運転方法。
【請求項５】
イオン交換体を介して対向するガス流路の形状を同じにした請求項３または請求項４記載の燃料電池スタックの運転方法。
【請求項６】
前記燃料電池スタックの総極性の反転を、外部電源または回生電圧の印加により行う請求項１または請求項２記載の燃料電池スタックの運転方法。
【請求項７】
前記燃料電池スタックの総極性の反転処理を、非発電状態の下で行い、反転直前の発電時の極性を基準に反転する請求項１〜請求項６の何れか一項記載の燃料電池スタックの運転方法。
【請求項８】
前記燃料電池スタックのセル積層方向端部と端部付近に、セル積層方向中央部より排水性の高いセルを配置し、極性とセル排水性との両方で、燃料電池スタックのセル積層方向端部の排水を促進させる請求項１〜請求項７の何れか一項記載の燃料電池スタックの運転方法。
【請求項９】
燃料電池スタックのセル積層方向での水分量分布の偏りを検知する検知装置と、
前記検知装置により燃料電池スタックのセル積層方向での水分量分布の偏りを検知された場合に、セル積層方向の燃料電池スタックの総極性を反転させる極性反転装置と、
を備えた燃料電池スタックの運転装置。
【請求項１０】
前記極性反転装置が、アノードガスとカソードガスのスタックへの供給を切替える装置からなる請求項９記載の燃料電池スタックの運転装置。
【請求項１１】
前記極性反転装置が、
燃料電池スタックとアノードガス供給源とを接続する第１の通路と、
燃料電池スタックとカソードガス供給源とを接続する第２の通路と、
第１の通路上に設けられた第１の切替弁と、
第２の通路上の設けられた第２の切替弁と、
第１の切替弁と第２の切替弁より下流側の第２の通路上の点とを連通する第１の切替通路と、
第２の切替弁と第１の切替弁より下流側の第１の通路上の点とを連通する第２の切替通路と、
第１の切替弁と第２の切替弁との切替えを指示する制御装置と、
を備えている請求項９記載の燃料電池スタックの運転装置。
【請求項１２】
前記極性反転装置が、アノードガスとカソードガスのスタックへの供給経路に接続されて該供給経路に不活性ガスのパージガスを供給するパージガス供給経路を備えている請求項９記載の燃料電池スタックの運転装置。
【請求項１３】
前記極性反転装置が、スタックに印加される極性を反転させる装置からなる請求項９記載の燃料電池スタックの運転装置。
【請求項１４】
前記極性反転装置が、
外部電源および該外部電源の第１の端子および第２の端子と、
燃料電池スタックのセル積層方向の一端の第１のターミナルおよび他端の第２のターミナルの前記外部電源の第１の端子との接続を切替える第１の切替スイッチと、
燃料電池スタックのセル積層方向の一端の第１のターミナルおよび他端の第２のターミナルの前記外部電源の第２の端子との接続を切替える第２の切替スイッチと、
第１の切替スイッチおよび第２の切替スイッチの切替えを指示する制御装置と、
を備えている請求項９記載の燃料電池スタックの運転装置。
【発明の詳細な説明】
【技術分野】
【０００１】
本発明は、燃料電池スタックの運転方法とその装置に関し、とくに安定した燃料電池スタックの発電を可能にする燃料電池スタックの運転方法とその装置に関する。
【背景技術】
【０００２】
燃料電池、たとえば固体高分子電解質型燃料電池は、膜−電極アッセンブリ（Membrane-Electrode Assembly 、ＭＥＡ）をセパレータで挟んだものから構成される。少なくとも１つの単位燃料電池からモジュールを構成し、モジュールを複数積層して（積層方向は任意）燃料電池スタックが構成される。
モジュールの一側のセパレータの中央部には燃料ガス流路が形成され、他側のセパレータの中央部には酸化ガス流路が形成される。セパレータの外周部には、入口側および出口側の燃料および酸化ガスマニホールドが形成される。入口側の燃料ガスマニホールドから供給された燃料ガス（水素）は燃料ガス流路に流入して一部が発電に消費され、残りは燃料ガス流路から出口側の燃料ガスマニホールドに流出する。同様に、入口側の酸化ガスマニホールドから供給された酸化ガス（酸素、通常、空気）は酸化ガス流路に流入して一部が発電に消費され、残りは酸化ガス流路から出口側の酸化ガスマニホールドに流出する。セルの中央部は発電領域であり、発電の際に、カソード側に水が生成し、水分の一部は電解質膜を湿潤させ、アノード側に移動する。カソード側で生成した水は、ガス流に乗って酸化ガスマニホールドに排出されるが、排出が不十分であると、セル内でフラッディングを生じ、酸化ガスのカソードへの供給が阻害されて発電出力、電位が低下する。
燃料電池スタックの発電運転において、セル積層方向に偏った水分量分布が発生する。この対策として、特開２００４−１７９０６１号公報は、水分の溜まりがちな部位のみに選択的に水はけのよいセルを配置することを提案している。また、特開２００４−１７９０６１号公報では、水はけのよいセルを配置する部位は、スタックのガス供給側と反対側の端部とその近傍のセルとしている。
【特許文献１】特開２００４−１７９０６１号公報
【発明の開示】
【発明が解決しようとする課題】
【０００３】
しかし、従来の構成には、つぎの問題がある。
水分の溜まりがちな部位に選択的に水はけのよいセルを配置した場合、水分の溜まりを抑制することはできても、水分量分布を完全に平坦にするまでには至らず、水分量分布の平坦化には限界がある。
また、スタックのガス供給側端の反対側端が水分の溜まりがちな部位とは限らず、その場合には、スタックのガス供給側端の反対側端に水はけのよいセルを配置しても、水分量分布の平坦化にはほとんど効果がない。
【０００４】
本発明の目的は、燃料電池スタックのセル積層方向の水分量分布を平坦化する（平坦に近づける）ことができ、安定した燃料電池スタックの発電を可能にする燃料電池スタックの運転方法とその装置を提供することにある。
【課題を解決するための手段】
【０００５】
上記目的を達成する本発明は、燃料電池スタックのセル積層方向での水分量分布の偏りが検知された場合に、セル積層方向の燃料電池スタックの総極性を反転させる燃料電池スタックの運転方法からなる。
望ましくは、燃料電池スタックの総極性の反転を、燃料電池スタックのセル積層方向の端部のうち水分が多い側の端部が総プラスになるように反転させる。
望ましくは、燃料電池スタックの総極性の反転を、アノードガスとカソードガスを入替えることにより行ってもよい。
望ましくは、アノードガスとカソードガスの入替え前にアノードガスの流路とカソードガスの流路をパージする。
望ましくは、イオン交換体を介して対向するガス流路の形状を同じにした。
望ましくは、燃料電池スタックの総極性の反転を、外部電源または回生電圧の印加により行ってもよい。
望ましくは、燃料電池スタックの総極性の反転処理を、非発電状態の下で行い、反転直前の発電時の極性を基準に反転する。
望ましくは、燃料電池スタックのセル積層方向端部と端部付近に、セル積層方向中央部より排水性の高いセルを配置し、極性とセル排水性との両方で、燃料電池スタックのセル積層方向端部の排水を促進させる。
運転方法。
上記目的を達成する本発明は、燃料電池スタックのセル積層方向での水分量分布の偏りを検知する検知装置と、
前記検知装置により燃料電池スタックのセル積層方向での水分量分布の偏りを検知された場合に、セル積層方向の燃料電池スタックの総極性を反転させる極性反転装置と、
を備えた燃料電池スタックの運転装置からなる。
望ましくは、極性反転装置が、アノードガスとカソードガスのスタックへの供給を切替える装置からなる。
望ましくは、極性反転装置が、
燃料電池スタックとアノードガス供給源とを接続する第１の通路と、
燃料電池スタックとカソードガス供給源とを接続する第２の通路と、
第１の通路上に設けられた第１の切替弁と、
第２の通路上の設けられた第２の切替弁と、
第１の切替弁と第２の切替弁より下流側の第２の通路上の点とを連通する第１の切替通路と、
第２の切替弁と第１の切替弁より下流側の第１の通路上の点とを連通する第２の切替通路と、
第１の切替弁と第２の切替弁との切替えを指示する制御装置と、
を備えている。
望ましくは、極性反転装置が、アノードガスとカソードガスのスタックへの供給経路に接続されて該供給経路に不活性ガスのパージガスを供給するパージガス供給経路を備えている。
望ましくは、極性反転装置が、スタックに印加される極性を反転させる装置からなる。
望ましくは、極性反転装置が、
外部電源および該外部電源の第１の端子および第２の端子と、
燃料電池スタックのセル積層方向の一端の第１のターミナルおよび他端の第２のターミナルの前記外部電源の第１の端子との接続を切替える第１の切替スイッチと、
燃料電池スタックのセル積層方向の一端の第１のターミナルおよび他端の第２のターミナルの前記外部電源の第２の端子との接続を切替える第２の切替スイッチと、
第１の切替スイッチおよび第２の切替スイッチの切替えを指示する制御装置と、
を備えている。
【発明の効果】
【０００６】
セル積層方向における、燃料電池スタックの水分の溜まりは、スタックのセル積層方向の一端部の１０枚程度のセル（顕著にあらわれるのは端部の５枚程度のセル）に見られ、スタックのセル積層方向の他端部とその近傍のセルはドライとなることが本発明者により確認された。
また、スタックの２つの端部のうちどちらの端部（とその近傍セル）に水が溜まるかは、スタックへのガスの供給方向と関係があるのではなく、スタックの総プラス、総マイナクと関係があり、スタックの総マイナス側の端部に水が溜まり、総プラスがわドライになることも、本発明者により発見された。
【０００７】
上記確認と発見のもとに、上記の燃料電池スタックの運転方法、または上記の燃料電池スタックの運転装置によれば、燃料電池スタックのセル積層方向での水分量分布の偏りが検知された場合に、セル積層方向の燃料電池スタックの総極性を反転させるので、総極性の反転前に総マイナスであった側のスタック端部の数セルは、総極性の反転後に総プラスになり、極性反転前の総マイナス時に溜まった水分は、極性反転後の総プラスになった時に時間の経過とともにドライになっていく。逆に、総極性の反転前に総プラスであった側のスタック端部の数セルは、総極性の反転後に総マイナスになり、総プラス時にドライとなった部分は、極性反転後の総マイナスになった時に時間の経過とともにウエットになっていく。その結果、燃料電池スタックのセル積層方向の水分量分布が平坦化する（平坦に近づく）ことができ、フラッディングによる電圧低下が生じることなく、安定した燃料電池スタックの発電が可能になる。
また、燃料電池スタックの総極性の反転を、燃料電池スタックのセル積層方向の端部のうち水分が多い側の端部が総プラスになるように反転させた場合は、極性反転前に水分が多かった端部は、極性反転後にドライになっていき、水分量分布が平坦なスタック中央部の水分量に近づいていき、フラッディングによる電圧低下が生じることなく、安定した燃料電池スタックの発電が可能になる。
【０００８】
上記の燃料電池スタックの運転方法、または上記の燃料電池スタックの運転装置によれば、アノードガスとカソードガスの導入を反転させることにより、燃料電池スタックの総極性を反転させることができる。
アノードガスとカソードガスの入替え前にアノードガスの流路とカソードガスの流路をパージした場合は、アノードガスとカソードガスの混合と、該混合による膜の損傷を抑制することができる。
イオン交換体を介して対向するガス流路の形状を同じにした場合は、ガスの入替えの前後において、発電性能がほとんど変化せず、ガスの入替えにもかかわらず、安定した発電を継続することができる。
燃料電池スタックの総極性の反転を、外部電源または回生電圧の印加により行った場合は、外部電源電圧の印加の場合はガスの混合がないためガス流路のパージが必要でなく、回生電圧の印加の場合は回生電圧の有効利用をはかることができる。
燃料電池スタックの総極性の反転処理を、車の駆動停止時などの非発電状態の下で行った場合は、再始動時に備えることができる。また、非発電状態の下で行う場合は、極性がないので、反転直前の発電時の極性を基準にする。これによって、反転直前の発電において、水分過多となった方の端部近傍のセルの水分を低減させることができる。
燃料電池スタックのセル積層方向端部と端部付近に、セル積層方向中央部より排水性の高いセルを配置した場合は、極性反転による端部と端部近傍のセルの水分の低減と排水性が高いことによるセル排水性との両方で、燃料電池スタックのセル積層方向端部とその近傍のセルの排水を促進させることができる。
【発明を実施するための最良の形態】
【０００９】
以下に、本発明の燃料電池スタックの運転方法とその装置を、図１〜図１８を参照して説明する。
本発明の燃料電池セパレータが組み付けられる燃料電池１０は、低温型燃料電池であり、たとえば、固体高分子電解質型燃料電池１０である。該燃料電池１０は、たとえば燃料電池自動車に搭載される。ただし、自動車以外に用いられてもよい。
図１６〜図１８に示すように、固体高分子電解質型燃料電池１０は、膜−電極アッセンブリ（ＭＥＡ：Membrane-Electrode Assembly ）とセパレータ１８との積層体からなる。
膜−電極アッセンブリは、イオン交換膜からなる電解質膜１１とこの電解質膜の一面に配置された触媒層からなる電極（アノード、燃料極）１４および電解質膜の他面に配置された触媒層からなる電極（カソード、空気極）１７とからなる。膜−電極アッセンブリとセパレータ１８との間には、アノード側、カソード側にそれぞれ拡散層１３、１６が設けられる。
【００１０】
セパレータ１８には、中央部に、アノード１４、カソード１７に燃料ガス（水素）および酸化ガス（酸素、通常は空気）を供給するための反応ガス流路２７、２８（燃料ガス流路２７、酸化ガス流路２８）と、その裏面に冷媒（通常、冷却水）を流すための冷媒流路２６が形成されている。
また、セパレータ１８には、外周部に、燃料ガス流路２７に燃料ガスを供給、排出するための燃料ガスマニホールド３０、酸化ガス流路２８に酸化ガスを供給、排出するための酸化ガスマニホールド３１、冷媒流路２６に冷媒を供給、排出するための冷媒マニホールド２９が形成されている。
【００１１】
膜−電極アッセンブリとセパレータ１８を重ねて単位燃料電池（「単セル」ともいう）１９を構成し、セルを１つ以上積層してセル積層体とし、セル積層体のセル積層方向両端に、ターミナル２０、インシュレータ２１、エンドプレート２２を配置し、エンドプレート２２をセル積層体の外側でセル積層方向に延びる締結部材（たとえば、テンションプレート２４）に、ボルト・ナット２５により固定し、セル積層体をセル積層方向に締め付け、燃料電池スタック２３を構成する。
【００１２】
流体流路２６、２７、２８、２９、３０、３１、３４をシールするために、ガス側のシール材３３および冷媒側のシール３２が設けられる。図示例では、ガス側シール材３３が接着剤からなり、冷媒側シール材３２がゴムガスケットからなる場合を示している。ただし、ガス側シール材３３も冷媒側シール材３２も、接着剤とゴムガスケットの何れから構成されてもよい。
【００１３】
各セル１９の、アノード側１４では、水素を水素イオン（プロトン）と電子に電離する電離反応が行われ、水素イオンは電解質膜１１中をカソード側に移動し、カソード１７側では酸素と水素イオンおよび電子（隣りのＭＥＡのアノードで生成した電子がセパレータを通してくる、またはセル積層方向一端のセルのアノードで生成した電子が外部回路を通して他端のセルのカソードにくる）から水を生成する反応が行われ、かくして発電が行われる。
アノード側：Ｈ2 →２Ｈ+ ＋２ｅ- 
カソード側：２Ｈ+ ＋２ｅ- ＋（１／２）Ｏ2 →Ｈ2 Ｏ
【００１４】
各セル１９では、水生成反応が起こるカソード側で水が溜まりやすく、酸化ガス流路２８の下流側で水が溜まりやすいが、一部の水が膜１１を透過するためアノード側でも水が溜まる。
図１、図２、図１１〜図１３に示すように、通常発電時には、時間の経過とともに、セル１９を積層したスタック２３では、セル積層方向に、水分量分布が不均一になり、スタック２３のセル積層方向一端側の複数セル（約５〜１０セル）には、他のセルより多くの水分が溜まり、水分過多状態（フラッディング）が生じやすい。スタック２３のセル積層方向一端側の複数セルはドライになりやすい。スタックのどちら側の端部にフラッディングが生じるかは、従来、スタックへのガスの供給側か排出側かと相関があるのではないかと考えられていたが、発明者等の試験では、スタックのどちら側の端部にフラッディングが生じるかは、スタックへのガスの供給側か排出側かとは無関係であることが判明している。すなわち、スタックのどちら側の端部にフラッディングが生じるかは、従来、わかっていなかったというのが実情である。
フラッディングが生じると反応ガスの触媒層電極への供給が阻害され、電圧低下が生じ、発電が阻害される。それを解消するため、燃料電池スタック２３における、セル積層方向の水分量分布を均一にする方法、装置の開発が臨まれている。
【００１５】
本発明者等は、スタックにおける水分量分布がスタックの総極性と相関があるという仮説を立て、その仮説が正しいか否かを試験で検討してみた。試験の結果は、その仮説は正しい、すなわち、スタックにおける水分量分布はスタックの総極性と相関があることを示した。
【００１６】
試験で判明したことを説明する。
まず、図１１に示すように、各スタックがｎセル（ｎは５０〜４５０までの適宜の数字、たとえば２００）を積層したスタックを２つ並列配置し、それを電気的に直列接続して、そこに各スタックの一端側から反応ガスを供給し、スタック他端でＵターンさせ、反応ガス供給側と同じ側のスタック端から反応ガスを排出させて、通常発電運転を行い、その時の水分量分布（図１２）とセルの電圧低下（図１３）を測定した。
図１２に示すように、各スタックともに、セル積層方向でマイナス側となる端部で水分量の増大が見られた。そして、図１３に示すように、水分量が増大しているセルで、電圧低下の急減が見られた。
【００１７】
図６〜図９は単一スタックとその通常発電運転での水分量測定結果のデータを示している。
図６において、スタックの総マイナス側となる一端側から水素を導入し総プラス側である反対側端でＵターンさせて水素導入側と同じ側から未消費水素を排出した。スタックの水素導入側と同じ側の端部からエアを導入し反対側端でＵターンさせてエア導入側と同じ側から未消費エアを排出した。
スタックはＮセル（Ｎは４０〜３００までの適宜の数字、Ｎ＜ｎ）を積層したスタックで試験した。水分量分布は図７に示す通りである。スタック２３の総マイナス側端とその近傍セルで水分量が増大している。総プラス側はドライとなった。
【００１８】
スタック２３の総極性を図６の場合と逆にして運転すると、図８に示すようになり、その時の水分量測定結果のデータを図９に示す。総極性を逆にするために、水素とエアの導入を図６の場合と逆転させた。その時の水分量分布は、図９に示すように、図８で総マイナス側となるスタック端部で水分量が増大し、総プラス側のスタック端部でドライになった。
【００１９】
図１０は、種々の負荷状態下での、ガスの種々の状態での運転における、ｍセル（ｍは１０〜４０までの適宜の数字、ｍ＜Ｎ）を含むスタックのセル積層方向含水量分布の試験結果を示している。図中、（１）は加湿ガスの場合、（２）は無加湿ガスの場合、（３Ａ、３Ｂ）は加湿ガスの場合で、負荷取り出しなし（オープンサーキット）の場合（３Ａは第１回目、３Ｂは第２回目）、（４）は燃料ガス流路と酸化ガス流路に窒素を流した場合、をそれぞれ示す。図１０からわかることは、ガスを流してだけで負荷の取り出しがなくても水分量の不均一分布が生じること、加湿ガスの場合にのみ水分量の不均一分布が生じること、窒素を流して発電しなくても水分量の不均一分布が生じること、等である。
【００２０】
図６〜図１３により、水分量の増大、減少は、常に、スタックのセル積層方向端部とその近傍の複数セルで起こること、および、スタック端部の水分量の増大、減少はスタックの総マイナス、総プラスと相関があることが判明する。
【００２１】
上記から、スタックの総極性およびその反転と水分量分布との間には、図２〜図５に示す相関があることがわかる。
燃料電池スタック２３の通常運転時には、図２、図３に示すように、スタック２３の総マイナス側の端部セルとその近傍の複数セル（端部セルを含む複数セル）の含水量が、スタックの中央セルのほぼ均一含水量に比べて多く、かつ、端部セルに近づくほど含水量が多くなる。また、スタック２３の総プラス側の端部セルとその近傍の複数セル（端部セルを含む複数セル）の含水量は、スタックの中央セルのほぼ均一含水量に比べて少なく（ドライとなり）、かつ、端部セルに近づくほど含水量が少なくなる。
【００２２】
燃料電池スタック２３の極性を、セル積層方向に、図４に示すように反転すると、その時の水分量分布は、図５に示すように、極性反転前の水分分布不均一が均一化して水分量分布がフラットになる。すなわち、図３で水分量が多いところと図５で水分量が少ないところが対応して水分量が相殺し、図３で水分量が少ないところと図５で水分量が多いところが対応して水分量が相殺し、その結果、水分量分布がセル積層方向にフラット化する（スタックのセル積層方向の中央セルとほぼ同じ水分量となる）。
【００２３】
本発明の燃料電池スタックの運転方法およびその装置は、上記知見に基づいてなされたものである。
まず、本発明の燃料電池スタックの運転方法を、図１〜図１３を参照して説明する。
本発明の燃料電池スタックの運転方法は、図１に示す制御ルーチンにしたがって実行される。図１の制御ルーチンは所定時間間隔で割り込まれる。本発明の燃料電池スタックの運転方法は、図１に示すように、燃料電池スタック２３のセル積層方向での水分量分布の偏りが検知された場合（ステップ１０２）に、セル積層方向の燃料電池スタック２３の総極性を反転させる方法（ステップ１０３）からなる。ただし、水分量分布の偏りの検知工程を経ずに、直接ステップ１０３を所定時間毎に行ってもよい。
本発明の燃料電池スタックの運転方法は、極性反転処理は、再始動時に備えて、車の停止後、停止中に、（ステップ１０１）に行うことが望ましい。ただし、ステップ１０１を経ずに直接、ステップ１０２またはステップ１０３にエンターしてもよい。たとえば、外部電源電圧の印加で極性反転を行う場合は、燃料電池の発電状態で行ってもよい。
【００２４】
ステップ１０３の燃料電池スタック２３の総極性の反転処理は、「極性反転を一定時間だけ続ける処理」でもよいし、あるいは、「水分量分布が平坦化したか否かを判定し、平坦化したと判定されるまで極性反転を続ける処理」としてもよい。
スタック２３の総マイナス側に水分が溜まった時には、総マイナス側端の極性がプラスに反転され、水分量が平坦化されると元の総マイナスに戻され、続く運転中において再び水分が溜まると極性が再びプラスに反転され、水分量が平坦化されると元の総マイナスに戻されるので、スタック２３の端部の極性は、プラスとマイナスとが繰り返されることになる。
【００２５】
燃料電池スタック２３の総極性の反転は、燃料電池スタック２３のセル積層方向の端部のうち水分が多い側の端部（反転前に、スタック２３の総マイナス側であった端部）が総プラスになるように反転させる。この反転においては、スタックの反対側の端部、すなわち、燃料電池スタック２３のセル積層方向の端部のうち水分が少ない側の端部（反転前に、スタック２３の総プラス側であった端部）が総マイナスになるように反転される。
【００２６】
燃料電池運転の任意の時間において、スタック２３における総プラスから総マイナスに向かう方向と、その運転状態における各セル１９のプラスからマイナスに向かう方向とは対応する。したがって、スタック２３の総プラス、総マイナスが反転されると、各セル１９のプラス、マイナスも反転される。
【００２７】
スタック２３は、図２、図４に示すように、単一のスタックから構成されてもよいし、図１１に示すように、複数のスタック２３（図１１では２個のスタック２３）を電気的に直列に接続したものでもよい。
たとえば、図２、図４の例では、スタック２３の一端から燃料ガス、酸化ガスがスタック２３に導入され、スタック２３の他端から燃料ガス、酸化ガスの未消費ガスがスタック２３から排出される。ただし、燃料ガス、酸化ガスは、スタック２３のガス導入側と反対側端でＵターンされて、スタック２３のガス導入側と同じ側の端部から排出されるようにしてもよい。
図１１はｎ個のセル（セル番号１〜ｎ）を積層した第１のスタックのマイナス側端を、別のｎ個のセル（セル番号ｎ＋１〜２ｎ）を積層した第２のスタックのプラス側端に銅板にて接続したものを示す。直列２スタックの総マイナス側端の電位を０ボルトとすると、１セルが１ボルトとした場合、直列２スタックの総プラス側端の電位は２ｎボルトとなる。図１１の例では、燃料ガス、酸化ガスは、第１、第２のスタックの同じ側の端部から供給され、スタックのガス導入側と反対側端でＵターンされて、スタックのガス導入側と同じ側の端部から排出されるようにした場合が示されている。
【００２８】
単一スタックの場合も、直列複数スタックの場合も、燃料電池スタック２３の総極性の反転は、アノードガス（燃料ガス）とカソードガス（酸化ガス）を入替えることにより行うか、または外部電源または回生電圧の印加により行うことができる。図２、図４、図６〜図９は、燃料電池スタック２３の総極性の反転を、アノードガス（燃料ガス）とカソードガス（酸化ガス）を入替えて導入することにより行う場合を示している。
【００２９】
燃料電池スタック２３の総極性の反転を、アノードガスとカソードガスを入替えることにより行う場合は、極性反転前は燃料ガスマニホールドであったマニホールドに極性反転後は酸化ガスを供給して酸化ガスマニホールドとして用い、極性反転前は酸化ガスマニホールドであったマニホールドに極性反転後は燃料ガスを供給して燃料ガスマニホールドとして用いる。これにより、極性反転前は燃料ガス流路であったセル内ガス流路に極性反転後は酸化ガスが流して酸化ガス流路として用い、極性反転前は酸化ガス流路であったセル内ガス流路に極性反転後は燃料ガスを流して燃料ガス流路として用いる。その結果、極性反転前の各セルのプラス、マイナスが反転し、極性反転前のスタック２３の総プラス、総マイナスが反転する。
【００３０】
極性反転時の、燃料ガスと酸化ガスとの混合を抑制するために、アノードガスとカソードガスの入替え前に、極性反転前にアノードガス（燃料ガス）が流れていた流路（セル内ガス流路、マニホールド、スタック外の流路を含む）と極性反転前にカソードガス（酸化ガス）が流れていた流路（セル内ガス流路、マニホールド、スタック外の流路を含む）をパージすることが望ましい。その理由は、燃料ガスと酸化ガスが混合すると、燃料ガスが化学燃焼して発熱し、膜１１を傷めるから、それを防止するためである。パージガスは窒素などの不活性ガスを用いる。
【００３１】
各セルにおいてイオン交換体（電解質膜１１）を介して対向するガス流路（燃料ガス流路２７、酸化ガス流路２８）の形状は、通常は異なり、それぞれ、発電に最適な形状としてあるが、燃料ガスと酸化ガスを入替えても同じ発電性能が得られるようにするには、ガス流路（燃料ガス流路２７、酸化ガス流路２８）の形状は同じにすればよい。
【００３２】
燃料電池スタック２３の総極性の反転を、外部電源または回生電圧の印加により行う場合は、極性反転前は総マイナスであったターミナル２０に外部電源（または回生電圧）からプラスの電位を印加して総プラスに極性を反転させ、極性反転前は総プラスであったターミナル２０に外部電源（または回生電圧）からマイナスの電位を印加して総マイナスに極性を反転させる。反応ガスの流れは反転させず、極性反転前のガスの流れのままを維持してもよい。これによって、反応ガスの流れを反転させることなく、燃料電池スタック２３の総極性を外部電源または回生電圧で反転させることにより、スタックの水分量分布を平坦化させることができる。
【００３３】
燃料電池スタック２３の総極性の反転処理を非発電状態の下で行う場合には、反転直前の発電時の極性を基準に反転する。たとえば、燃料電池スタック２３の総極性の反転を導入ガスの入替えで行う場合、ガス流路のパージをするに際していったん反応ガスの供給を止めることになるが、その時は非発電状態かそれに近い状態となる。そして、非発電状態では、スタック２３の極性が無くなるので、総マイナスを総プラスにすると言った場合の総マイナスが何かということになるが、その場合には、反転直前の発電時の極性を基準にする、すなわち反転直前の発電時に総マイナスであった端部の極性を反転前の総マイナスとするということである。
【００３４】
燃料電池スタック２３のセル積層方向端部と端部付近に、セル積層方向中央部より排水性の高いセル１９（たとえば、拡散層やガス流路溝の撥水性を向上させたセル）を配置して、極性反転とセル排水性との両方で、燃料電池スタックのセル積層方向端部の排水を促進させてもよい。
【００３５】
つぎに、本発明の燃料電池スタックの運転装置を、図１４、図１５を参照して説明する。
本発明の燃料電池スタックの運転装置は、燃料電池スタック２３のセル積層方向での水分量分布の偏りを検知する検知装置４０と、検知装置４０により燃料電池スタック２３のセル積層方向での水分量分布の偏りが検知された場合に、セル積層方向の燃料電池スタック２３の総極性（総プラス、総マイナス）を反転させる極性反転装置５０と、を備えている。
【００３６】
燃料電池スタック２３のセル積層方向での水分量分布の偏りを検知する検知方法は、つぎの（イ）、（ロ）、（ハ）の何れかによることができる。
（イ）スタック２３の各セル１９には通常その電圧を計測するセルモニターが取り付けられているが、そのセルモニターを利用してスタック端部またはその近傍のセルの電圧を測定し、スタック端部またはその近傍のセルに電圧低下があった場合に水分の偏りが発生したとする方法。この場合は、セルモニターが検知装置４０となる。図１１〜図１３では、セル電圧が、セル番号ｎ、２ｎのセルとその近傍（各スタック２３の総マイナス側の端部）で急低下していることを示している。
（ロ）セルのインピーダンスを検出し、水分の多いセルは抵抗が低くなるので、インピーダンスが低くなったことを計測して、水分の偏りが発生したとする方法。
（ハ）水分が溜まってくると、スタック２３全体の質量（重量）が増大するため、スタック２３全体の質量を測定して、所定値以上になると、端部セルまたはその近傍に水分の偏りが発生したと推定する方法。
【００３７】
燃料電池スタック２３の総極性の反転は、アノードガス（燃料ガス）とカソードガス（酸化ガス）を入替えることにより行うか、または外部電源または回生電圧の印加により行うことができる。
【００３８】
燃料電池スタック２３の総極性の反転を、アノードガス（燃料ガス）とカソードガス（酸化ガス）を入替えることにより行う場合は、極性反転装置５０は、アノードガスとカソードガスのスタックへの供給を切替える装置からなる。
たとえば、極性反転装置５０は、燃料電池スタック２３とアノードガス供給源５１とを接続する第１の通路５３と、燃料電池スタック２３とカソードガス供給源５２とを接続する第２の通路５４と、第１の通路５３上に設けられた第１の切替弁５５と、第２の通路５４上の設けられた第２の切替弁５６と、第１の切替弁５５と第２の切替弁５６より下流側の第２の通路５４上の点とを連通する第１の切替通路５７と、第２の切替弁５６と第１の切替弁５５より下流側の第１の通路５３上の点とを連通する第２の切替通路５８と、第１の切替弁５５と第２の切替弁５６との切替えを指示する制御装置５９（図１の制御フローを実行するルーチンを格納したコンピュータ）と、を備えている。
制御装置５９は図１の制御ルーチンにしたがって第１の切替弁５５と第２の切替弁５６の切替えを指示する。
【００３９】
極性反転時（直前）に反応ガスをパージする場合は、極性反転装置５０は、アノードガスとカソードガスのスタックへの供給経路（第１の通路、第２の通路）５１、５２に接続されて供給経路５１、５２に不活性ガス（たとえば、窒素）のパージガスを供給するパージガス供給経路６０と、パージガス供給源６１と、パージガス供給経路６０上に設けられパージ時に開となるバルブ６２を備えている。
【００４０】
極性反転装置５０が、スタック２３に印加される極性を反転させる装置から構成される場合は、極性反転装置５０は、たとえば、外部電源７０および外部電源７０の第１の端子７１および第２の端子７２と、燃料電池スタック２３のセル積層方向の一端の第１のターミナル２０Ａおよび他端の第２のターミナル２０Ｂの、外部電源７０の第１の端子７１との接続を切替える第１の切替スイッチ７３と、燃料電池スタック２３のセル積層方向の一端の第１のターミナル２０Ａおよび他端の第２のターミナル２０Ｂの、外部電源７０の第２の端子７２との接続を切替える第２の切替スイッチ７４と、第１の切替スイッチ７３および第２の切替スイッチ７４の切替えを指示する制御装置５９（図１の制御フローを実行するルーチンを格納したコンピュータ）と、を備えている。
【００４１】
つぎに、本発明の燃料電池スタックの運転方法とその装置の作用・効果を説明する。
本発明の燃料電池スタックの運転方法とその装置では、燃料電池スタック２３のセル積層方向での水分量分布の偏りが検知された場合（ステップ１０２）に、セル積層方向の燃料電池スタック２３の総極性を反転させる（ステップ１０３）ので、総極性の反転前に総マイナスであった側のスタック端部セルとその近傍の数セル（端部セルを含み複数セル）は、総極性の反転後に総プラスになり、極性反転前の総マイナス時に溜まった水分は、極性反転後の総プラスになった時に時間の経過とともに平坦に近づいていき平坦を通り過ぎるとドライになっていく。逆に、総極性の反転前に総プラスであった側のスタック端部の数セル（端部セルを含み複数セル）は、総極性の反転後に総マイナスになり、総プラス時にドライとなった部分は、極性反転後の総マイナスになった時に時間の経過とともにウエットになっていく。その結果、燃料電池スタックのセル積層方向の水分量分布が平坦化し（図３の水分量分布が図５の水分量分布に近づく、したがって、平坦に近づく）、フラッディングによる電圧低下が生じることなく、安定した燃料電池スタックの発電が可能になる。
【００４２】
極性反転においては、燃料電池スタック２３の総極性の反転を、燃料電池スタック２３のセル積層方向の端部のうち水分が多い側の端部が総プラスになるように反転させるので、極性反転前に水分が多かった端部は、極性反転後にドライになっていき、水分量分布が平坦なスタック中央部の水分量に近づいていき、フラッディングによる電圧低下が生じることなく、安定した燃料電池スタックの発電が可能になる。
【００４３】
スタック２３の端部の極性の反転は、燃料電池の外部回路に負荷がかかっている状態で行ってもよいし、あるいは燃料電池の外部回路に負荷がかかっていない（オープンサーキット）状態で行ってもよく、何れの場合も水分量分布はフラット化する。
また、供給ガスが加湿ガスである場合は、本発明の水分量分布のフラット化が顕著に見られる。
水分量分布のフラット化は、スタックの総極性に相関しており、ガスの流れ方向とは相関しない。
【００４４】
燃料電池スタックの総極性の反転は、アノードガスとカソードガスの導入を反転させる（アノードガスが導入されていたところにカソードガスを導入し、カソードガスが導入されていたところにアノードガスを導入する）ことにより行うことができる。
燃料電池スタックの総極性の反転は、外部電源または回生電圧の印加により行うこともできる。
【００４５】
アノードガスとカソードガスの入替え前にアノードガスの流路とカソードガスの流路をパージする場合は、アノードガスとカソードガスの混合と、該混合による膜１１の損傷を抑制することができる。
【００４６】
イオン交換体（電解質膜１１）を介して対向するガス流路の形状を同じにした場合は、ガスの入替えの前後において、発電性能がほとんど変化せず、ガスの入替えにもかかわらず、安定した発電を継続することができる。
【００４７】
燃料電池スタック２３の総極性の反転を、外部電源７０または回生電圧の印加により行う場合は、燃料ガスと酸化ガスの混合がないためガス流路の窒素等によるパージが必要でない。また、回生電圧の印加の場合は回生電圧の有効利用をはかることができる。
【００４８】
燃料電池スタック２３のセル積層方向端部と端部付近に、セル積層方向中央部より排水性の高いセル（拡散層やガス流路溝の撥水性を良好にしたセル）を配置すれば、極性反転による端部と端部近傍のセルの水分の低減と、排水性が高いことによるセル排水性との両方で、燃料電池スタック２３のセル積層方向端部とその近傍のセル１９の排水を促進させる。
【図面の簡単な説明】
【００４９】
【図１】本発明の燃料電池スタックの運転方法のフローチャートである。
【図２】本発明の燃料電池スタックの運転方法が実施される燃料電池スタックの通常発電時（極性反転前）の概略側面図である。
【図３】本発明の燃料電池スタックの運転方法が実施される燃料電池スタックの通常発電時（極性反転前）の水分量分布図（含水量対セル番号）である。
【図４】本発明の燃料電池スタックの運転方法が実施される燃料電池スタックの極性反転後の概略側面図である。
【図５】本発明の燃料電池スタックの運転方法が実施される燃料電池スタックの極性反転後の水分量分布図（含水量対セル番号）である。
【図６】試験で用いた、本発明の燃料電池スタックの運転方法が実施される燃料電池スタックの通常発電時（極性反転前）の概略斜視図である。
【図７】試験で用いた、本発明の燃料電池スタックの運転方法が実施される燃料電池スタックの通常発電時（極性反転前）の水分量分布図（含水量対セル番号）である。
【図８】試験で用いた、本発明の燃料電池スタックの運転方法が実施される燃料電池スタックの極性反転後の概略斜視図である。
【図９】試験で用いた、本発明の燃料電池スタックの運転方法が実施される燃料電池スタックの極性反転後の水分量分布図（含水量対セル番号）である。
【図１０】ｍセルスタックのセル積層方向の水分量分布図（含水量対セル番号）である。
【図１１】試験で用いた、ｎセルスタックを２スタック並列配置して電気的に直列接続した場合の概略側面図である。
【図１２】図１１の２スタック装置の水分量分布図（含水量対セル番号）である。
【図１３】図１１の２スタック装置のセル電圧分布図（セル電圧対セル番号）である。
【図１４】本発明の燃料電池スタックの運転装置で極性反転を導入ガスの反転で行う場合の系統図である。
【図１５】本発明の燃料電池スタックの運転装置で極性反転を外部電源電圧の印加で行う場合の系統図である。
【図１６】本発明の燃料電池スタックの概略側面図である。
【図１７】本発明の燃料電池スタックの一部の拡大断面図である。
【図１８】本発明の燃料電池スタックのセルの概略正面図である。
【符号の説明】
【００５０】
１０  燃料電池
１１  電解質膜
１３  拡散層
１４  電極（アノード、燃料極）
１６  拡散層
１７  電極（カソード、空気極）
１８  燃料電池セパレータ
１９  単セル
２０、２０Ａ、２０Ｂ  ターミナル
２１  インシュレータ
２２  エンドプレート
２３  スタック
２４  締結部材（テンションプレート）
２５  ボルト
２６  冷媒流路
２７  燃料ガス流路
２８  酸化ガス流路
２９  冷媒マニホールド
３０  燃料ガスマニホールド
３１  酸化ガスマニホールド
３２  冷媒側シール材（たとえば、ゴムガスケット）
３３  ガス側シール材（たとえば、接着剤）
４０  検知装置
５０  極性反転装置
５１  燃料ガス（アノードガス）供給源
５２  酸化ガス（カソードガス）供給源
５３  第１の通路
５４  第２の通路
５５  第１の切替弁
５６  第２の切替弁
５７  第１の切替通路
５８  第２の切替通路
５９  制御装置
６０  パージガス供給通路
６１  パージガス供給源
６２  バルブ
７０  外部電源
７１  第１の端子
７２  第２の端子
７３  第１の切替スイッチ
７４  第２の切替スイッチ
【図１】
2007200675.tif 000003
【図２】
2007200675.tif 000004
【図３】
2007200675.tif 000005
【図４】
2007200675.tif 000006
【図５】
2007200675.tif 000007
【図６】
2007200675.tif 000008
【図７】
2007200675.tif 000009
【図８】
2007200675.tif 000010
【図９】
2007200675.tif 000011
【図１０】
2007200675.tif 000012
【図１１】
2007200675.tif 000013
【図１２】
2007200675.tif 000014
【図１３】
2007200675.tif 000015
【図１４】
2007200675.tif 000016
【図１５】
2007200675.tif 000017
【図１６】
2007200675.tif 000018
【図１７】
2007200675.tif 000019
【図１８】
2007200675.tif 000020